(57)【要約】      （修正有）【課題】ＳＥＴ等の温熱指標について詳しくない者であっても、各種製品が持つ温熱快適性能を容易に理解できるようにする。【解決手段】製品の名称１１、図面１３、および／または製品の型番１２のうちから選択される少なくとも何れか一つと、製品の温熱快適性能が着衣量または身体負荷によって表現された直感的に理解可能な漫画などのマーク１４とを、所定の媒体に表示する。前記製品の具体例としては、ガラス製品、透明樹脂製品、自動車等があげられる。前記媒体の具体例としては、パンフレット、カタログ、ホームページ等があげられる。【選択図】図１
2005049777.tif 000002
【特許請求の範囲】
【請求項１】
製品を一意に特定するための情報と、前記製品の温熱快適性能が着衣量または身体負荷によって表現された図とを所定の媒体に表示することを特徴とする温熱快適性能を説明するための表示方法。
【請求項２】
前記媒体は、パンフレット、カタログ、チラシ、包装容器、書籍、ポスター、壁画、看板、広告塔、掲示板、ホームページ、テレビ放送、映画、および／または電子ゲームから選ばれる少なくとも何れか一つである請求項１に記載の温熱快適性能を説明するための表示方法。
【請求項３】
前記製品は、ガラス製品、透明樹脂製品、自動車、鉄道車両、航空機、船舶、建築物、建築部材、空調装置、冷房装置、および／または暖房装置から選択される少なくとも何れか一つである請求項１または２に記載の温熱快適性能を説明するための表示方法。
【請求項４】
製品を一意に特定するための情報と、前記製品の温熱快適性能が着衣量または身体負荷によって表現された図とが並べて表示された媒体からなることを特徴とする温熱快適性能を説明するための表示物。
【請求項５】
前記媒体は、パンフレット、カタログ、チラシ、包装容器、書籍、ポスター、壁画、看板、広告塔、および／または掲示板から選ばれる少なくとも何れか一つである請求項４に記載の温熱快適性能を説明するための表示物。
【請求項６】
前記製品は、ガラス製品、透明樹脂製品、自動車、鉄道車両、航空機、船舶、建築物、空調装置、冷房装置、および／または暖房装置から選択される少なくとも何れか一つである請求項４または５に記載の温熱快適性能を説明するための表示物。
【請求項７】
ガラス製品、透明樹脂製品、自動車、鉄道車両、航空機、船舶、建築物、建築部材、空調装置、冷房装置、および／または暖房装置から選択される少なくとも何れか一つの製品であって、
前記製品の温熱快適性能が着衣量または身体負荷によって表現された図を備えたことを特徴とする温熱快適性能を説明する機能を有する製品。
【発明の詳細な説明】
【技術分野】
【０００１】
本発明は、温熱快適性能を説明するための表示方法および表示物並びに製品に関し、特に窓ガラスや建築物等が持つ温熱快適性能を容易に第三者に説明するための表示方法および表示物、並びに温熱快適性能を説明する機能を有する製品に関する。
【背景技術】
【０００２】
従来、建築用窓ガラスには、様々なガラス板が使用されている。例えば、複層ガラス、合わせガラス、熱線（または紫外線）反射ガラス、および熱線（または紫外線）吸収ガラス、並びにこれらを組み合わせた製品といった具合に各種のものがあり、通常の単板で作られた窓ガラスと比べ、室内における温熱快適性や防犯性能が優れるという付加価値を備えている。
【０００３】
このような各種ガラス製品が持つ特徴の一つである温熱快適性能を第三者に説明する場合、従来においては、ＳＥＴ＊（Standard New Effective Temperature）やＰＭＶ（Predicted Mean Vote）といった温熱指標が用いられていた。例えばＳＥＴ＊は、ギャッギ（Gagge）と西によって提案され、体温調節を考慮した人体モデルとそれを取り巻く温熱環境との間で成立する熱平衡式をベースにして算出された指標であり、これは発汗による体温調節機能を含む熱平衡モデルに基づいて、気温、放射、湿度、気流速、着衣量、作業量、気圧、人工空気等の環境変数によって総合的に温熱環境を評価できる。ＡＳＨＲＡＥ（American Society of Heating, Refrigerating and Air-Conditioning Engineers）では、ＳＥＴ＊が２２．２〜２５．６℃の範囲を快適域として定めている。
【０００４】
【特許文献１】特開平９−１４２８８８号公報（請求項１、図１）
【特許文献２】特開平７−１１４３３８号公報（図１）
【発明の開示】
【発明が解決しようとする課題】
【０００５】
しかしながら、ＳＥＴ＊およびＰＭＶは単なる数値に過ぎず、ガラス板の温熱快適性能との因果関係がわかりにくいという問題がある。例えば、製品カタログに複数のガラス板が掲載され、それらの温熱快適性能を説明するために、ＳＥＴ＊の値が併記されていたとしても、値の違いによってどの程度の性能差が生じるのか、一般ユーザにはわかりにくいという問題がある。
【０００６】
一方、特許文献１には、ガラス板の表面に撥水膜を利用したマークを付すことで意匠性に優れた装飾ガラスが開示されている。しかし、この文献には、ガラス板表面に付したマークを利用することで、ガラス板自身が持つ温熱快適性能を第三者に説明することについて何ら開示されていない。また、特許文献２には、住宅性能を図で表現することが記載されているが、単に種々の事項を記号化したに過ぎず、温熱快適性能の違いを第三者に理解させるには充分とはいえない
本発明は、このような課題を解決するものであり、各種製品が持つ温熱快適性能を容易に理解できるようにした温熱快適性能を説明するための表示方法および表示物並びに製品を提供することを目的とする。
【課題を解決するための手段】
【０００７】
以上の目的を達成するために本発明は、製品を一意に特定するための情報と、前記製品の温熱快適性能が着衣量または身体負荷によって表現された図とを、所定の媒体に表示することを特徴とする温熱快適性能を説明するための表示方法を提供する。
【０００８】
また、本発明に係る表示方法の一態様として、前記媒体は、パンフレット、カタログ、チラシ、包装容器、書籍、ポスター、壁画、看板、広告塔、掲示板、ホームページ、テレビ放送、映画、および／または電子ゲームから選ばれる少なくとも何れか一つであることが好ましい。
【０００９】
また、本発明に係る表示方法の一態様として、前記製品は、ガラス製品、透明樹脂製品、自動車、鉄道車両、航空機、船舶、建築物、建築部材、空調装置、冷房装置、および／または暖房装置から選択される少なくとも何れか一つであることが好ましい。
【００１０】
また、本発明は、製品を一意に特定するための情報と、前記製品の温熱快適性能が着衣量または身体負荷によって表現された図とが並べて表示された媒体からなることを特徴とする温熱快適性能を説明するための表示物を提供する。
【００１１】
また、本発明に係る表示物の一態様として、前記媒体は、パンフレット、カタログ、チラシ、包装容器、書籍、ポスター、壁画、看板、広告塔、および／または掲示板から選ばれる少なくとも何れか一つであることが好ましい。
【００１２】
また、本発明に係る表示物の一態様として、前記製品は、ガラス製品、透明樹脂製品、自動車、鉄道車両、航空機、船舶、建築物、空調装置、冷房装置、および／または暖房装置から選択される少なくとも何れか一つであることが好ましい。
【００１３】
また、本発明は、ガラス製品、透明樹脂製品、自動車、鉄道車両、航空機、船舶、建築物、建築部材、空調装置、冷房装置、および／または暖房装置から選択される少なくとも何れか一つの製品であって、前記製品の温熱快適性能が着衣量または身体負荷によって表現された図を備えたことを特徴とする温熱快適性能を説明する機能を有する製品を提供する
【発明の効果】
【００１４】
本発明は、製品の温熱快適性能が着衣量または身体負荷によって表現された図（マークなど）から受ける印象によって、その製品の温熱快適性能の程度および違いを知ることができ、直感的にその製品が持つ温熱快適性能を知ることができる。
【発明を実施するための最良の形態】
【００１５】
次に、本発明の一実施形態について図を参照して説明する。
【００１６】
図１は、本発明に係る表示物の一実施形態を示す平面図である。同図に示すように、用紙１０には、製品名１１と、この製品の型番１２と、この製品の図面１３と、この製品の温熱快適性能を示すマーク１４と、この製品の説明文１５とが記載されている。このように、製品名１１、型番１２および／または図面１３といった製品を一意に特定するための情報と、温熱快適性能を示すマーク１４とを併記することで、その製品が持つ温熱快適性能を直感的に知ることができる。温熱快適性能を示すマーク１４は、スーツ姿またはＴシャツ姿といった具合に着衣量の違いで、または着座もしくは立位といった具合に身体負荷の違いで、製品の温熱快適性能を表現した図である。
【００１７】
なお、マーク１４は、着衣量の違いまたは身体負荷の違いを表現できるのであれば、写実的または漫画的な絵、絵文字、または写真等の何れの形態であってもよい。また、マーク１４で表現されている着衣量は、上記製品で測定される温熱指標（ＳＥＴ＊等）との対応がとられている。上述のように、ＳＥＴ＊は着衣量を一つのパラメータとして求められるため、気温等のその他のパラメータを与えることで、ＳＥＴ＊の値を着衣量に換算することは容易である。
【００１８】
従来においては、マーク１４の代わりにＳＥＴ＊等の温熱指標が記載されていたが、温熱指標について馴染みの薄い一般消費者にとっては、その値がどの程度の温熱快適性能を意味するのかを正確に認識することができなかった。それに対して本発明では、製品が持つ温熱快適性を連想させるようなマーク１４を付すことで、以上の従来における問題点を解決するものである。なお、製品を一意に特定するための情報は、上記以外の方法で表現されてもよいし、種々の記載を組み合わせることで表現されてもよい。
【００１９】
図２は、温熱快適性能を示すマークの一実施形態であり、温熱快適性能の違いを着衣量の違いで表現したものである。製品としては自動車用窓ガラスを想定しており、以下では通常のグリーンガラスとＩＲカットガラスの例について説明する。グリーンガラスとは、ガラス組成に鉄分を含ませることで、日射中の赤外光をカットするようにしたガラス板である。
【００２０】
それに対して、ＩＲカットガラスは、透明樹脂からなる中間膜を２枚のガラス板で挟み込んだ合わせガラスの構成を有し、さらに中間膜中に導電性のＩＴＯ超微粒子を含んだものである。ＩＴＯ超微粒子の働きによって、可視光は通すものの赤外光の透過をカットするとともに電波透過性を有する。したがって、車外−車内間での無線通信を可能としつつ赤外光をカットし、各種無線通信を実現しながら車内温度の上昇を防ぐことができる。また、今般においては、自動車のドアガラスにＩＲカットガラスが使用されるに至り、車内温度の上昇抑制に貢献している。
【００２１】
従来のグリーンガラスにおける体感温度がスーツ姿に相当する場合（図２（ａ））、ＩＲカットガラスを用いることでＴシャツおよび長ズボンに相当するに至っている（図２（ｂ））。グリーンガラスで体感できるＳＥＴ＊とＩＲカットガラスで体感できるＳＥＴ＊とでは、気温、湿度および日射等の人体周辺の環境条件によって若干変化するものの、その差は数度程度である。
【００２２】
一般ユーザは、このような差を数値として示されても、実際の体感としてどの程度違うのかを把握することができず、ＩＲカットガラスの優れた温熱快適性能を理解することができなかった。しかし、図２（ａ）、（ｂ）に示すように、温熱快適性能を着衣量の違いで表現することで、誰でも容易にその違いを認識できるようになる。
【００２３】
図３は、温熱快適性能を示すマークのその他の実施形態である。この実施形態は、温熱快適性能の違いを身体負荷の違いで表現している。すなわち、図３（ａ）では通勤電車でつり革に掴まって立っている状体、図３（ｂ）では通勤電車のシートに座っている状体でその違いを表現している。図２の場合同様に、このような身体負荷の違いで表現することで、一般ユーザであっても温熱快適性能の違いを容易に理解できる。身体負荷の違いについては、歩行または走行中の人の姿、泳いでいる人の姿、体操をしている人の姿、寝ている人の姿等の各種の形態を用いることができる。
【００２４】
なお、図１では用紙１０にマーク１４を付した例を示したが、本発明はこれに限られるものではない。例えば、マーク１４を付する媒体の具体例としては、パンフレット、カタログ、チラシ、包装容器、書籍、ポスター、壁画、看板、広告塔、掲示板、ホームページ、テレビ放送、映画、および／または電子ゲームから選ばれる少なくとも何れか一つがある。また、マーク１４で表現されている身体負荷は、上記製品で測定される温熱指標（ＳＥＴ＊等）との対応がとられている。
【００２５】
図４は、本発明のその他の実施形態を示す斜視図である。上述のマーク１４は、カタログ等の媒体に付されるだけでなく、製品そのものに直接付されても構わない。製品２０の一部に直接マーク２４を付すことで、上記同様に容易に製品２０の温熱快適性を知ることができるようになる。なお、マーク２４が付される製品の具体例としては、ガラス製品、透明樹脂製品、自動車、鉄道車両、航空機、船舶、建築物、建築部材、空調装置、冷房装置、および／または暖房装置から選択される少なくとも何れか一つがある。
【００２６】
図５は、本発明のその他の実施形態を示す平面図である。上述の温熱快適性能を示すマーク１４は、表示物や製品等に直接印刷してもよいし、図５に示すようなシールを作成し、それを製品やカタログ等の媒体に貼付するようにしてもよい。シール３０は、主表面に製品を一意に特定するための情報（製品名３１、型番３２）が印刷されるとともに、製品の温熱快適性能を示すマーク３４が併記され、裏面には粘着材料が塗布されている。このようなシールであれば、温熱快適性に関する表示を製品に対して適宜付加することができる。なお、製品を一意に特定するための情報は、上記以外の方法で表現されてもよく、例えば製品の図面や写真等その他の記載が用いられてもよいし、種々の記載を組み合わせることで表現されてもよい。
【産業上の利用可能性】
【００２７】
以上説明したとおり、本発明は、製品に表示されている図の様子からその製品が持つ温熱快適性能を思い浮かべることができ、直感的に製品の温熱快適性能を知ることができる。このような図を各種の媒体（カタログ、パンフレット、インターネットのＨＰ、テレビ放送における映像など）に表示することで、ＳＥＴ＊等の特殊な指標について詳しくない者であっても、容易に温熱快適性能の違いを認識することができ、温熱快適性の異なる製品同士の差別化を図ることができ、販売促進につなげることができる。
【００２８】
例えば、自動車販売に当たっては、従来、断熱性能の優れた高機能ガラスはオプション仕様となっており、なかなか一般ユーザにその製品の有意性が理解されず、思うように販売数量が延びないという事態が生じることがあったが、本発明を用いることにより温熱快適性の違いを直感的に理解できるため、製品の販売促進につなげることができる。
【図面の簡単な説明】
【００２９】
【図１】本発明の一実施形態を示す平面図である。
【図２】温熱快適性能を示すマークの一実施形態である。
【図３】温熱快適性能を示すマークのその他の実施形態である。
【図４】本発明のその他の実施形態を示す平面図である。
【図５】本発明のその他の実施形態を示す平面図である。
【符号の説明】
【００３０】
１０：用紙
１１：製品名
１２：型番
１３：図面
１４：マーク
１５：製品の説明
２０：製品
２４：マーク
３０：シール
３１：製品名
３２：型番
３４：マーク
【図１】
2005049777.tif 000003
【図２】
2005049777.tif 000004
【図３】
2005049777.tif 000005
【図４】
2005049777.tif 000006
【図５】
2005049777.tif 000007